(57)【要約】【課題】本発明は、ワイドエリアネットワークをベースにする電気生理データ遠距離移動監視測定方法及び装置において、遠距離電気生理データ監視測定サーバーとネットワーク数字通信を行うことを目的としている。【解決手段】このため、各種回路を具備して、内部に組込み遠距離電気生理データ監視測定用サーバー固定ＩＰアドレスや各プロトコルを搭載して、プログラムで遠距離移動監視測定装置をコントロールして自己適応分析計算、異常事件警告とアラーム権限のレベル別の設定、事件バケットの組合わせ、ネットワーク数字通信、データメモリー区域管理、安全情報データ管理、遠距離緊急通報を実現させ、モバイル・ユニコムのネットとインターネット間にローミングネットの接続を切り替え可能となり、無線で外部ネットワークにアクセスし、遠距離電気生理データ監視測定サーバーとネットワーク数字通信を行う。【選択図】図１
2009523473.tif 000002
【特許請求の範囲】
【請求項１】
マイクロプロセッサ回線と述べた遠距離移動監視測定装置の各機能モジュール回線を連続コントロールして、電気生理データの監視測定予知警告を記録メモリーし、ネットワークデジタル通信を行う；
電気生理信号採集処理回線は採集電気生理シミュレーション信号に用いられ、その内部に基準電圧信号回線を設置し、マイクロプロセッサ回線のコントロールで基準基準電圧を提供する；
データメモリー回線はマイクロプロセッサ回線でコントロールされた上で、五つのメモリーエリアに分けられ、それぞれ述べた遠距離移動監視測定装置におけるユーザ設定のような情報データをメモリーする；
図形液晶回線はマイクロプロセッサ回線にコントロールされた上で、電気生理データ波形、図形符号及び各種類文字をデイスプレーする；
リアルタイムクロック回線はマイクロプロセッサ回線にコントロールされた上で各種類データに期日及び時間をマーキングする；
緊急通報回線はマイクロプロセッサ回線に緊急通報トリガー信号を発信し、コントロール無線ネットワークインターフェース回線は設置されておく受信ターミナルにヘルプ情報を発信する；
無線ネットワークインターフェース回線の内部にＴＣＰ／ＩＰプロトコル、ＰＰＰプロトコル、ブルートゥースプロトコルを搭載し、マイクロプロセッサ回線のコントロール命令に基づき、無線で外部ネットワークターミナルインターフェースに接続し、ワイドエリアネットワークとアクセスし、ネットワークデジタル通信を行う；
バッテリー管理回線はマイクロプロセッサ回線にコントロールされた上で述べた遠距離移動監視測定装置の各機能モジュール回線にバッテリーを提供し、機械振動回線とブザー回線はマイクロプロセッサ回線にコントロールされた上、事件警告アラーム時に機械振動とオーディオを出す；
ＵＳＢインターフェース回線は述べた遠距離移動監視測定装置が外部設備とデータ情報を交換させ、持続の監視測定記録の電気生理データをアップロード又はダウンロードすることを特徴とするワイドエリアネットワークをベースにする電気生理データ遠距離移動監視測定装置。
【請求項２】
前記電気生理データ遠距離移動監視測定装置は、マイクロプロセッサ回線が低消費電力のＰＩＣ（Ｐｅｒｉｐｈｅｒａｌ  Ｉｎｔｅｒｆａｃｅ  Ｃｏｎｔｒｏｌｌｅｒ：周辺機器接続制御用ＩＣ）から構成されて、ＰＩＣにＭ３０２８０を搭載する可能性があり、そのＩ／Ｏポート、外部中断源、シリアル通信ポート及び内部Ａ／Ｄアナログ・デジタルコンバーターがそれぞれ各コントロール機能モジュール回線と接続し、内部のＦｌａｓｈＲＯＭにプログラムソフトウェア、ＰＩＣ或いはＭ３０２８１、ＨＤ６４Ｆ３８４７を搭載し、そのマークによって対応するピンを接続することを特徴とする請求項１に記載のワイドエリアネットワークをベースにする電気生理データ遠距離移動監視測定装置。
【請求項３】
前記電気生理データ遠距離移動監視測定装置は、電気生理信号採集処理回線内部の基準電圧信号回線が精密基準源、トライオード９０１３、限流抵抗器、分圧用精密抵抗器より接続構成され、精密基準源がＮＪＭ２８２３を利用される可能性があり、トライオード９０１３ベースがＭ３０２８０のＰ１ポートＰ１．３と接続し、エミッタ・ベースがメイン回線＋３．３Ｖ電源と接続し、コレクタが二つの限流抵抗器を通して、それぞれアースとＮＪＭ２８２３陰極に接続し、ＮＪＭ２８２３の正極がアースに接続し、二つの分圧用精密抵抗器を直列連結し、一つ側がＮＪＭ２８２３の陰極に接続し、もう一つ側がアースに接続し、真ん中のアウトプット側がＤＣブロック回線のアウトプット側に接続し、アウトプット側の基準電圧振幅が１ｍｖ×プリアンプ級の倍数となり、誤差が≦±１％となり、精密基準源がＣＹＴ４３１、又はＴＩ＿、４３１Ｂ、Ｉ．Ｍ４０５０を利用する可能性があり、そのマークによって対応するピンと接続することを特徴とする請求項１又は２に記載のワイドエリアネットワークをベースにする電気生理データ遠距離移動監視測定装置。
【請求項４】
前記電気生理データ遠距離移動監視測定装置は、データメモリー回線がマイクロプロセッサ回線Ｍ３０２８０とデジタルメモリー器Ｆｌａｓｈより接続構成され、デジタルメモリー器ＦｌａｓｈがＮＡＮＤ０１Ｇ、Ｍ３０２８０のＰ０ポートＰ０．０−Ｐ０．７を利用する可能性があり、それぞれＮＡＮＤ０１ＧのデータラインＤ０−Ｄ７に接続し、Ｍ３０２８０のＰ２ポートＰ２．２−Ｐ２．４がそれぞれＮＡＮＤ０１Ｇのチップ・セレクトＥに接続し、アドレスラッチＡＬ、命令ラッチＣＬに接続し、Ｍ３０２８０のＰ３ポートＰ３．４−Ｐ３．５がそれぞれＮＡＮＤ０ｌＧのリーダーＲＤ、ライトーＷＲに接続し、デジタルメモリーＦｌａｓｈがＫ９Ｋ１ＧＵ０Ｂ、或いはＴＣ５８ＤＶＧ０２Ａ１ＦＴ００、ＲＣ２８Ｆ１３Ｃ−１５０と利用する可能性があり、そのマークによって対応するピンを接続することを特徴とする請求項１或いは２に記載のワイドエリアネットワークをベースにする電気生理データ遠距離移動監視測定装置。
【請求項５】
前記電気生理データ遠距離移動監視測定装置は、無線ネットワークインターフェース回線がマイクロプロセッサ回線Ｍ３０２８０、ネットワーク処理器回線ＩＰ２０２２、ブルートゥース集成回線より接続構成され、ブルートゥース集成回線がＢｌｕｅＣｏｒｅ３１３１４３、Ｍ３０２８０シリアル通信ポート０のＴＸＤ、ＲＸＤ、ＣＴＳ、ＤＳＲが接続したＩＰ２０２２のシリアル通信１を利用する可能があり、Ｍ３０２８０のＰ５ポートＰ５．Ｏ−Ｐ５．２がそれぞれＩＰ２０２２リセットエンドＲＳＴ、状態コントロールエンドＰＲＧ、休眠コントロールエンド０Ｎ／０ＦＦ、ＩＰ２０２２シリアル通信ポート２のＨＯＳＴ＿ＴＸエンド、ＨＯＳＴ＿ＲＸエンド、ＨＯＳＴ＿ＣＴＳエンド、ＨＯＳＴ＿ＲＴＳエンドがそれぞれＢｌｕｅＣｏｒｅ３１３１４３のＵＡＲＴ＿ＲＸエンドとＵＡＲＴ＿ＴＸエンド、ＵＡＲＴ＿ＲＴＳエンド、ＵＡＲＴ＿ＣＴＳエンドに接続し、ＩＰ２０２２のＰＯＲＴＳＥＩエンド、ＳＬＥＥＰ＿ＥＮＡＢＬＥエンド、ＨＯＳＴ＿ＩＮＴエンド、ＤＩＳＣＯＮＮＥＣＴエンドがそれぞれＢｌｕｅＣｏｒｅ３１３１４３のリセットエンドＲＥＳＥＴ、電源コントロールエンドＶＲＥＧ＿ＥＮ、ワークエンドＰＷＲ＿ＵＰ、接続切断エンドＤＩＳＣＯＮＮＥＣＴ＿ＣＯＮに接続し、ブルートゥース集成回線がＢＣＭ２０３５、或いはＢＲＦ６１００／６１５０、ＭＣ７２０００を利用する可能性があり、そのマークによって対応するピンを接続することを特徴とする請求項１或いは２に記載のワイドエリアネットワークをベースにする電気生理データ遠距離移動監視測定装置。
【請求項６】
述べた遠距離移動監視測定装置におけるプログラムを設置するワイドエリアネットワークをベースにする電気生理データ遠距離移動監視測定装置であって、
述べた応用プログラムで述べた遠距離移動監視測定方法装置自己適応分析計算をコントロールするステップ；
異常事件警告とアラーム権限レベル別の設定ステップ；
事件バケット組合、ネットワークデジタル通信ステップ；
データメモリー回線エリア管理、安全情報データメモリー管理ステップ；
遠距離緊急通報ステップ；
のステップを有し、
そのうちに、述べた応用プログラムで述べた遠距離移動監視測定装置無線アクセス外部ネットワークターミナルインターフェースが接続するワイドエリアネットワークをコントロールして、ネットワークデジタル通信を行い、移動（モバイル）・中聯（ユニコム）のネットとインターネットとの間にローミングネットの接続を切り替え、外部のネットワークターミナルインターフェースに移動インターネット或いはイントラネット、ＡＤＳＬ、ＶＤＳＬ、ＩＳＤＮ、ＤＤＮ、有線テレビ通信ネット、電力線通信網ターミナルインターフェースがあるが、それに限られないことを特徴とするワイドエリアネットワークをベースにする電気生理データ遠距離移動監視測定装置。
【請求項７】
ステップ１：述べた応用プログラムは基準電圧とゲインによって現時点の電気生理データを採集計算した初期値データが判設定閾値の範囲内に存在するか判断し、今回監視測定の初期値として分析計算を監視測定し、もし初期値データが設定閾値に達したら、述べた応用プログラムが初期値事件マークをセットしてそれをメモリーし、自己適応調整を行い、閾値の上限或いは下限を設定し、同初期値データを今回監視測定の初期値として分析計算を監視測定し、監視測定データが自己適応閾値に達したら、述べた応用プログラムが異常電気生理事件マークをセットし、データマークを送信し、もし初期値データが設定閾値を越えたら、述べた応用プログラムが異常電気生理事件マークをセットし、データマークを送信する；
ステップ２：述べた応用プログラムは述べた各種類の異常事件マークによって、レベル別の警告マークをセットし、述べた遠距離移動監視測定装置に一級警告アラーム権限と二級、三級警告予知警告権限を設置させ、述べた警告マークをセットする場合、命令関連回線がアラーム／或いは予知警告操作を執行する；
ステップ３：述べた応用プログラムは今回異常事件マークの発生時間Ｔｎによって、前側に６０分間のタイムスロットを６つ配列し、６つのタイムスロットの中に今回事件と関連する事件データ記録を取得し、時間順序によって、事件バケットを組み合わせて、タイムスロット＜６となり、その最大時間を取得する；
ステップ４：述べた応用プログラムは送信したデータマークによって、無線ネットワークインターフェース回線が起動させることを命令し、ブルートゥースプロトコルを利用して、リサーチ命令を出し、有效距離以内の外部ネットワークターミナルインターフェースが返信してから、無線ネットワークインターフェース回線から個人マークアドレスコードを出してＰｉｎ認証を行い、無線双向デジタル通信リンクを作り、述べた応用プログラムが識別命令を出し、外部のネットワークが移動インターネット或いは線ネットワークであるかを判断する；
ステップ５：述べた応用プログラムは外部のネットワークが移動インターネットだと判断されたら、遠隔電気生理データ監視測定サーバーの固定ＩＰアドレスをリードし、ＴＣＰ／ＩＰプロトコルとＰＰＰプロトコルを利用し、有線ネットワークの場合、述べた応用プログラムは遠隔電気生理データ監視測定サーバー固定ＩＰアドレスをリードし、有線ネットワークコントロール命令を利用し、無線ネットワークインターフェース回線が移動インターネット／或いは有線ネットワークと遠隔電気生理データ監視測定サーバーと接続し、ネットワークデジタル通信をコントロールし、事件バケット或いはデータ情報を送信し、サーバーから返信したコントロール命令及び分析結果、処方オーダーを受信し、コントロール命令をリスボンサーし、関連作業を執行する；
ステップ６：述べた応用プログラムは無線ネットワークインターフェース回線がオンライン接続保持状態（Ｈｏｌｄ）にコントロールさせ、データの転送を停止させ、オンライン接続コントロールを保持させ、述べた応用プログラム或いは遠隔電気生理データ監視測定サーバーが刺激信号を出すと、デジタル通信を回復させる；
ステップ７：述べたデータメモリー回線は述べた応用プログラムアドレッシングによって、文字ライブラリーメモリーエリア、情報セットメモリーエリア、安全情報メモリーエリア、異常電気生理データメモリーエリア、連続電気生理データメモリーエリアに分けられ、述べた応用プログラム命令とアドレス対応のメモリーエリアに基づき、リード、ライト、修正、削除の操作を行い、かつ安全情報メモリーエリア循環記録メモリーを設置し、人工で削除する不可能となるが、循環記録周期の設置を調整する可能となる；
ステップ８：述べた応用プログラムは述べた遠距離移動監視測定装置の？置情報データを受信した場合、データメモリー回線にライト命令を出し、データのためにアドレスを設定してから設置情報メモリーエリアに保存する；
ステップ９：述べた応用プログラムは述べた遠距離移動監視測定装置の操作情報データを受信した場合、データメモリー回線にライト命令を出し、データのためにアドレスを設定してから安全情報メモリーエリアに保存する；
ステップ１０：述べた応用プログラムは緊急通報トリガー信号を受信した場合、緊急通報マークをセットし、データマークを送信して、ＳＰコードとデジタル移動電話番号／或いはＭＭＳアドレス及びヘルプ情報をリードし、無線ネットワークインターフェース回線に移動インターネットターミナルインターフェース接続ショットメッセジーセンターとアクセスさせることをコントロールし、ヘルプ情報を設置されておく受信ターミナルに送信し、述べた応用プログラムは１０秒以内に受信エンドから「返信済み」という情報を受信していない。組込み遠隔電気生理データ監視測定サーバー固定ＩＰアドレスとヘルプ情報をリードし、無線ネットワークインターフェース回線にワイドエリアネットワークに接続させることをコントロールし、ヘルプ情報を遠隔電気生理データ監視測定サーバーに送信すると、受信エンドから「受信済み」という情報をもらたら、循環呼出を停止させることを特徴とするワイドエリアネットワークをベースにする電気生理データ遠距離移動監視測定方法。
【請求項８】
前記電気生理データ遠距離移動監視測定方法は、述べた遠距離移動監視測定装置が無線でワイドエリアネットワークに接続し、述べた応用プログラムがコントロールされた上でオンライン接続保持状態（Ｈｏｌｄ）、データ転送の停止、オンライン接続の保持を実現させ、述べた応用プログラム或いは遠隔電気生理データ監視測定サーバーから刺激信号を発信したときに、デジタル通信を回復させることを特徴とする請求項７に記載のワイドエリアネットワークをベースにする電気生理データ遠距離移動監視測定方法。
【請求項９】
前記電気生理データ遠距離移動監視測定方法は、述べた遠距離移動監視測定装置が無線で移動インターネットターミナルインターフェースにアクセスし、述べた応用プログラムがコントロールされた上でショットメッセジーセンターに接続させ、ＳＭＳ或いはＭＭＳ方式で設置されておく受信ターミナルにヘルプ情報を発信して、受信エンドからの返信情報を受信する可能であることを特徴とする請求項７に記載のワイドエリアネットワークをベースにする電気生理データ遠距離移動監視測定方法。
【請求項１０】
前記電気生理データ遠距離移動監視測定方法は、述べた無線ネットワークインターフェース回線が基準操作命令とデータ、ユーザー定義命令とデータのようなコントロール命令を受信し、それ以外にパスワード検証命令、機能設置命令、内部情報獲得命令及び病理性異常事件アラーム命令も受信するが、それに限らないことを特徴とする請求項７に記載のワイドエリアネットワークをベースにする電気生理データ遠距離移動監視測定方法。
【請求項１１】
前記電気生理データ遠距離移動監視測定方法は、述べた設置情報データが文字、符号、アルファベット、デジタル、図形及びその組合せとなり、組込み遠隔電気生理データ監視測定サーバー固定ＩＰアドレス、ＳＰコード、デジタル移動電話番号、ＭＭＳアドレス、ユーザーネームとパスワード、ヘルプ情報を含むが、それにかぎらないことを特徴とする請求項７に記載のワイドエリアネットワークをベースにする電気生理データ遠距離移動監視測定方法。
【請求項１２】
前記電気生理データ遠距離移動監視測定方法は、述べた操作情報バケットにオンオフ回数と時間、アラーム予知警告内容と時間、データ送信方式と送信時間、リスボンサーコントロール命令データ内容と時間、受信した処方オーダー内容と時間、緊急通報トリガー事件時間と返事時間を含むが、それにかぎらないことを特徴とする請求項７に記載のワイドエリアネットワークをベースにする電気生理データ遠距離移動監視測定方法。
【発明の詳細な説明】
【技術分野】
【０００１】
本発明は個人用の医療情報処理ツールとして、特にワイドエリアネットワークをベースにする電気生理データ遠距離移動監視測定に関わる方法及び装置である。
【背景技術】
【０００２】
心血管疾病（冠状動脈心臓病、高血圧）の死亡患者の中に突然な緊急事件により、貴重な早期診断の応急手当時間を失って死亡になるケースがほとんどである。
緊急事件の発作の前に、患者の心電、血圧等の電気生理パラメーターに前兆の紊乱が起こったのは事実である。
もし早期にこの異常症状を発見してタイミリーに応急手当をするなら、患者の命を救うことができるのであろう。
１９８０年代、アメリカ特許第４６３５６４６号などはシミュレーションＦＭ電話転送心電遠距離監視測定システムを研究することに成功した。
患者は調子が悪く感じられたら、固定電話でリアルタイムの心電図を病院の受信記録システムに転送して、医者からの分析処理を取得し、１９９０年代に中国専売特許第９１１０２７５０．５号はコンピューターとネットワークにアクセスできるデジタル電話転送心電遠距離監視測定技術を発明した。
それはリアルタイムの分析予知警告機能とメモリー記録機能を具備し、コンピューターワークステーションを利用してユーザの監視測定データを処理することができた。
このような技術の主な役目として、早期にユーザーの異常心電の前兆を発見して、タイムリーに応急手当して救うことで、死亡率と障害率を減少させ、豊かな臨床データと臨床経験を積み上げた。
【０００３】
【特許文献１】アメリカ特許第４６３５６４６号公報
【特許文献２】中国専売特許第９１１０２７５０．５号公報
【特許文献３】アメリカ特許第６８０１１３７号公報
【特許文献４】アメリカ特許第６６６５３８５号公報
【発明の開示】
【発明が解決しようとする課題】
【０００４】
近年、アメリカ特許第６８０１１３７号、アメリカ特許第６６６５３８５号などはデジタル移動通信ネットワークで心電遠距離監視測定を行う技術を研究することに成功した。
この技術として、ユーザーエンドの心臓監視測定に二つのユニットに分けられ、一つのユニットを心電信号採集ターミナルとして心電信号の採集フィルターとアナログデーターコンバーターなど機能を果たし、もう一つのユニットをＰＤＡ機能を有するデジタル移動電話或いはデジタル移動電話モジュールを有するモニターとして、監視測定データ分析メモリー、デジタル通信などの機能を果たし、二つの間に無線でモジュールＲＦ６９００の受発信で接続させることで、心電遠距離移動監視測定を実現した。
但し、前述の既存技術に以下のデメリットが存在する。
１、固定電話を利用して転送する心電遠距離監視測定既存技術について、ユーザーは固定電話を持って、ダイヤルして受信エンド設備の固定電話を呼び出して、リスボンサーをもらわないと転送できない。
それに一人のユーザーしかオンラインで利用できない。
ほかのユーザーは線路が空いてないと、引続ダイヤルして転送を呼びださない。
それで心臓緊急事件監視測定のニーズに応じられない。
２、固定電話を利用して転送する心電遠距離監視測定既存技術について、ＧＰＲＳ或いは者ＣＤＭＡの何れかのデジタル移動通信ネットワークしか利用できず、システムが違うデジタル移動通信ネットワークをコンパチビリティできず、３Ｇデジタル移動通信ネットワークを利用できず、外部のほかのネットワークにアクセスしてデジタル通信を行えない。
３、既存技術であるアメリカ特許第６６６５３８５号、アメリカ特許第６６９４１７７号などは固定電話ネットワーク或いは無線？呼ネットワーク、衛星通信ネットワークを遠距離監視測定の予備データチャンネルとして、固定電話のデメリットは上述のように、無線呼出ネットワークは技術モデルに限るので、心電図形を転送できず、圧縮処理後の簡単なデータしか転送できない。
衛星通信ネットワーク費用が高い。
それに異なるデータ受信と発信装置を配置する必要がある。
ＰＤＡのＵＳＢインターフェースを利用して、データをコンピューターにダウンロードしてから、インターネットに登録して転送する技術もあるが、既存技術の取扱は非常に不便である。
４、既存技術はユーザーエンド心電の採集、分析メモリーを二つのユニットに分けられて、ＲＦ６９００を利用して無線で二つのユニットを接続する。
ＲＦ６９００は低レベルの無線通信方式として、いろいろ工業と家電製品に汎用されている。
動作周波数が９００ＭＨｚであり、ホップチャンネルだけを有するが、アドレッシング無線通信機能を有しないので、唯一性を保証できず、現時点で９００ＭＨｚチャンネルが込んでいる状態で、同じ周波数或いは同類設備が衝突される問題を解決できない。
この間、ＲＦ６９００の代わりに、２．４ＧＨｚ「ブルートゥース」（Ｂｌｕｅｔｏｏｔｈ）無線通信技術を利用して前述の問題を解決するケースがある。
例えば中国請求番号０３１１６５３９．７専売特許。
但し「ブルートゥース」は引続使用される状態で電気消耗が大きいという問題が存在している。
二つのユニットの間に長時間で引続きデータを転送し、リアルタイムに監視測定分析を行えない。
それにユーザーエンドが二つのユニットに分けられるので、取扱は非常に不便である。
５、既存技術アメリカ特許第６６９４１７７号について、ユーザーエンドは何れかの場合でも、初回で少しの監視測定データしか送信できず、中央システムエンドはこの少量データによって監視測定必要なデータ主体を判断した上でユーザーエンドトに臨床診断に必要な監視測定データ主体を転送させることを通知することで通信時間と費用、消耗電気を減少させる。
デジタル移動通信技術の発展につれて、ネットワークバンドウィドとスピードが大いに向上させて、移動電話の消耗電気とコスト費用が削減させていく。
このデータ構造方式と転送方式が時代に遅れたので、心臓緊急事件の迅速分析診断の要求に応じられない。
６、既存技術は安全情報データ管理機能を有しない。
発生可能の医療責任紛争に対して、法律根拠と医療証拠を提供できない。
それに非監視測定の状態下で遠距離呼出ヘルプ機能を具備しない。
７、既存技術は心電データ分析計算の国際統一の基準電圧を有しない。
急性心筋梗塞、急性心筋血不足、無痛性心筋血不足の場合、診断のＳＴセジメント量化の計算に非常な誤差が存在している。
中国専売特許第９１１０２７５０．５号は自動ゲインコントロール回線より基準電圧信号を提供するが、心電信号が限界値となる、或いはベースラインが波動する場合に、誤差を起こしやすい。
【０００５】
前述の既存技術の不足を解決するために、本発明の目的として、操作が簡単で、携帯に便利で、無線で外部のネットワークターミナルインターフェースとアクセスし、ワイドエリアネットワークの電気生理データに接続して、遠距離で移動監視測定できる方法と装置を提供する。
独立に電気生理データのリアルタイム監視測定、記録メモリー、自己適応分析予知警告、ネットワークデジタル通信、遠距離緊急通報を実現し、移動（モバイル）・中聯（ユニコム）のネットとインターネットとの間にローミングネットの接続を切り替え、外部のネットワーク設備とデータ情報を交換処理することで、ユーザーの公共場所と家庭の環境の中で電気生理データを遠距離で移動監視測定するニーズに応じられるようになる。
【課題を解決するための手段】
【０００６】
本発明は技術問題を解決するために、後述の技術案を提出した。
ワイドエリアネットワークをベースにする電気生理データ遠距離移動監視測定装置であって、マイクロプロセッサ回線、電気生理信号採集処理回線、データメモリー回線、図形液晶回線、リアルタイムクロック回線、緊急通報回線、バッテリー管理回線、無線ネットワークインターフェース回線、機械振動回線、ブザー回線、ＵＳＢインターフェース回線からなり、内部にＴＣＰ／ＩＰプロトコル、ＰＰＰプロトコル、ブルートゥースプロトコルを搭載されている。
マイクロプロセッサ回線が各機能モジュール回線をコントロール接続することで、遠距離で電気生理データとネットワークデジタル通信を移動監視測定することを実現させた。
電気生理信号採集処理回線は採集心電、血圧、呼吸シミュレーション信号に利用されて、自己適応分析計算に基準電圧を提供する。
データメモリー回線はマイクロプロセッサ回線にコントロールされ上で五つのデータメモリーエリアに分けられ、それぞれ述べた遠距離移動監視測定装置の各種類バケットであるユーザ設定の遠隔電気生理データ監視測定サーバー固定ＩＰアドレス、ＳＰコード、デジタル移動電話番号、ＭＭＳアドレス、ヘルプ情報メモリーする。
図形液晶回線はマイクロプロセッサ回線にコントロールされた上で、電気生理信号波形及び図形符号、各種類文字をデイスピレーして、フラッシュライトを予知警告提示とする。
リアルタイムクロック回線はプログラムにカレンダーとリアルタイム２４時間クロックを提供する。
緊急通報回線はマイクロプロセッサ回線に緊急通報トリガー命令を発信し、無線ネットワークインターフェース回線から設置されておく受信ターミナルにヘルプ情報を発信することをコントロールする。機械振動回線とブザー回線はマイクロプロセッサ回線にコントロールされた上で、警告アラームの振動とオーディオを出す；
バッテリー管理回線はマイクロプロセッサ回線にコントロールされた上でそれぞれ各機能モジュール回線にバッテリーを提供する。ＵＳＢインターフェース回線は述べた遠距離移動監視測定装置が外部設備とデータ情報を交換させ、持続の監視測定記録の電気生理データをアップロード又はダウンロードする。
無線ネットワークインターフェース回線は無線で外部のネットワークターミナルインターフェースに接続し、ワイドエリアネットワークとアクセスすることができる。
マイクロプロセッサ回線にコントロールされ上で、ネットワークデジタル通信を行う可能となる。
本発明に記載した外部のネットワークターミナルインターフェースに移動インターネット、イントラネット、ＡＤＳＬ、ＶＤＳＬ、ＩＳＤＮ、ＤＤＮ、有線テレビ通信網、電力線通信網ターミナルインターフェースを含むが、それに限られない。
【０００７】
本発明は、遠距離移動監視測定装置中のプログラムを設置するワイドエリアネットワークをベースにする電気生理データ遠距離移動監視測定方法であって、
述べた応用プログラムで述べた遠距離移動監視測定方法装置自己適応分析計算をコントロールするステップ；
異常事件警告とアラーム権限レベル別の設定ステップ；
事件バケット組合、ネットワークデジタル通信ステップ；
データメモリー回線エリア管理、安全情報データメモリー管理ステップ；
遠距離緊急通報ステップ；
のステップを有し、
その中に述べた応用プログラムで述べた遠距離移動監視測定装置無線アクセス外部ネットワークターミナルインターフェースが接続するワイドエリアネットワークをコントロールして、ネットワークデジタル通信を行い、移動（モバイル）・中聯（ユニコム）のネットとインターネットとの間にローミングネットの接続を切り替え、外部のネットワークターミナルインターフェースに移動インターネット或いはイントラネット、ＡＤＳＬ、ＶＤＳＬ、ＩＳＤＮ、ＤＤＮ、有線テレビ通信ネット、電力線通信網ターミナルインターフェースがあるが、それに限られない。
【０００８】
述べたワイドエリアネットワークをベースにする電気生理データ遠距離移動監視測定方法にも以下のステップが含まれる。
ステップ１：述べた応用プログラムは基準電圧とゲインによって現時点の電気生理データを採集計算した初期値データが判設定閾値の範囲内に存在するか判断し、今回監視測定の初期値として分析計算を監視測定し、もし初期値データが設定閾値に達したら、述べた応用プログラムが初期値事件マークをセットしてそれをメモリーし、自己適応調整を行い、閾値の上限或いは下限を設定し、同初期値データを今回監視測定の初期値として分析計算を監視測定し、監視測定データが自己適応閾値に達したら、述べた応用プログラムが異常電気生理事件マークをセットし、データマークを送信し、もし初期値データが設定閾値を越えたら、述べた応用プログラムが異常電気生理事件マークをセットし、データマークを送信する；
ステップ２：述べた応用プログラムは述べた各種類の異常事件マークによって、レベル別の警告マークをセットし、述べた遠距離移動監視測定装置に一級警告アラーム権限と二級、三級警告予知警告権限を設置させ、述べた警告マークをセットする場合、命令関連回線がアラーム／或いは予知警告操作を執行する；
ステップ３：述べた応用プログラムは今回異常事件マークの発生時間Ｔｎによって、前側に６０分間のタイムスロットを６つ配列し、６つのタイムスロットの中に今回事件と関連する事件データ記録を取得し、時間順序によって、事件バケットを組み合わせて、タイムスロット＜６となり、その最大時間を取得する；
ステップ４：述べた応用プログラムは送信したデータマークによって、無線ネットワークインターフェース回線が起動させることを命令し、ブルートゥースプロトコルを利用して、リサーチ命令を出し、有效距離以内の外部ネットワークターミナルインターフェースが返信してから、無線ネットワークインターフェース回線から個人マークアドレスコードを出してＰｉｎ認証を行い、無線双向デジタル通信リンクを作り、述べた応用プログラムが識別命令を出し、外部のネットワークが移動インターネット或いは線ネットワークであるかを判断する；
ステップ５：述べた応用プログラムは外部のネットワークが移動インターネットだと判断されたら、遠隔電気生理データ監視測定サーバーの固定ＩＰアドレスを読み込んで、ＴＣＰ／ＩＰプロトコルとＰＰＰプロトコルを利用し、有線ネットワークの場合、述べた応用プログラムは遠隔電気生理データ監視測定サーバー固定ＩＰアドレスを読み込んで、有線ネットワークコントロール命令を利用し、無線ネットワークインターフェース回線が移動インターネット／或いは有線ネットワークと遠隔電気生理データ監視測定サーバーと接続し、ネットワークデジタル通信をコントロールし、事件バケット或いはデータ情報を送信し、サーバーから返信したコントロール命令及び分析結果、処方オーダーを受信し、コントロール命令をリスボンサーし、関連作業を執行する。
ステップ６：述べた応用プログラムは無線ネットワークインターフェース回線がオンライン接続保持状態（Ｈｏｌｄ）にコントロールさせ、データの転送を停止させ、オンライン接続コントロールを保持させ、述べた応用プログラム或いは遠隔電気生理データ監視測定サーバーが刺激信号を出すと、デジタル通信を回復させる。
ステップ７：述べたデータメモリー回線は述べた応用プログラムアドレッシングによって、文字ライブラリーメモリーエリア、情報セットメモリーエリア、安全情報メモリーエリア、異常電気生理データメモリーエリア、連続電気生理データメモリーエリアに分けられ、述べた応用プログラム命令とアドレス対応のメモリーエリアに基づき、リード、ライト、修正、削除の操作を行い、かつ安全情報メモリーエリア循環記録メモリーを設置し、人工で削除する不可能となるが、循環記録周期の設置を調整する可能となる；
ステップ８：述べた応用プログラムは述べた遠距離移動監視測定装置の設置情報データを受信した場合、データメモリー回線にライト命令を出し、データのためにアドレスを設定してから設置情報メモリーエリアに保存する。
ステップ９：述べた応用プログラムは述べた遠距離移動監視測定装置の操作情報データを受信した場合、データメモリー回線にライト命令を出し、データのためにアドレスを設定してから安全情報メモリーエリアに保存する；
ステップ１０：述べた応用プログラムは緊急通報トリガー信号を受信した場合、緊急通報マークをセットし、データマークを送信して、ＳＰコードとデジタル移動電話番号／或いはＭＭＳアドレス及びヘルプ情報をリードし、無線ネットワークインターフェース回線に移動インターネットターミナルインターフェース接続ショットメッセジーセンターとアクセスさせることをコントロールし、ヘルプ情報を設置されておく受信ターミナルに送信し、述べた応用プログラムは１０秒以内に受信エンドから「返信済み」という情報を受信していない。
組込み遠隔電気生理データ監視測定サーバー固定ＩＰアドレスとヘルプ情報をリードし、無線ネットワークインターフェース回線にワイドエリアネットワークに接続させることをコントロールし、ヘルプ情報を遠隔電気生理データ監視測定サーバーに送信すると、受信エンドから「受信済み」という情報をもらたら、循環呼出を停止させる。
【発明の効果】
【０００９】
既存技術と比べると、本発明に以下の技術効果を有する。
１、本発明は無線で外部のネットワークとアクセスして電気生理データ遠距離移動監視を行う測定方法であって、ユーザーが公共場所と家庭などの環境において、無線で周りの外部のネットワークターミナルインターフェースとアクセスし、ワイドエリアネットワークに接続して、遠隔ネットワークの設備とネットワークデジタル通信を行い、外部のネットワークターミナルインターフェースは移動インターネット（ＣＤＭＡ、ＧＰＲＳ、３Ｇ等）、イントラネット、ＡＤＳＬ、ＶＤＳＬ、ＩＳＤＮ、ＤＤＮ、有線テレビ通信網、電力線通信網ターミナルインターフェースを含むが、それに限られない。
そして、移動（モバイル）・中聯（ユニコム）のネットとインターネットとの間にローミングネットの接続を切り替えることができ、既存技術の不足を解決し、新規応用を広げられた。
２、本発明は独立にリアルタイムで電気生理データ監視測定分析、メモリー予知警告、ネットワークデジタル通信機能を完成させて、既存の「分体式」技術に存在したデメリットを改善した同時に事件バケット時間序列構造組合せの方法を提供した。
自動に今回事件と関連する事件データ記録を選択してバケットを組み合わせすることで、多数の繰返し転送を避けて、監視測定の効率を向上させて、コスト費用を削減させた。
３、本発明は異常事件警告とアラーム権限レベル別の設定方法を提供した。
述べた遠距離移動監視測定装置として、病理性異常事件に対して、予知警告権限だけを有し、サーバーから返信したコントロール命令を受信した時に、病理性異常事件アラームを発信することで、エラーアラームを発生しないようにする。
４、本発明はデータメモリーエリア管理方法を提供した。
安全情報メモリーエリアに述べた遠距離移動監視測定装置の操作情報を保存し、人工で削除不可能となり、循環でメモリーを記録し、発生可能の医療責任紛争に法律根拠と医療証拠を提供して、データメモリー回線の機能と応用を広げられてきた。
５、本発明は遠距離緊急通報方法を提供し、ユーザーは非監視測定の状況で調子が悪く感じられたら、トリガー緊急通報キーボードをクリックし、外部ネットワークターミナルインターフェースを径由して外にヘルプ情報を発信する。
６、本発明は基準電圧信号を発生する回線を提供した。
ソフトウェアプログラムで心電データを正しく分析計算するようにして、遠隔電気生理データ監視測定サーバーと医者の分析計算に基準を提供した。
７、本発明は低消費電力の特徴を有する。
３．７Ｖ８００ｍＡの場合、リチウムバッテリは引続き４８時間以上利用でき、体積が小くて、操作に便利で、個人ユーザーの長期使用に適用することを特徴とする。
【発明を実施するための最良の形態】
【００１０】
以下図面に基づいてこの発明の実施例を詳細に説明する。
【実施例１】
【００１１】
実施例１；ハードウェア動作原理について、図１、図２、図３を参照しながら、説明する。
本発明はマイクロプロセッサ回線、電気生理信号採集処理回線、データメモリー回線、図形液晶回線、リアルタイムクロック回線、緊急通報回線、バッテリー管理回線、無線ネットワークインターフェース回線、機械振動回線、ブザー回線、ＵＳＢインターフェース回線からなり、内部に組込み遠隔電気生理データ監視測定サーバー固定ＩＰアドレス、ＴＣＰ／ＩＰプロトコル、ＰＰＰプロトコル、ブルートゥースプロトコルを搭載されている。
【００１２】
マイクロプロセッサ回線は低消費電力のＰＩＣ  （Ｐｅｒｉｐｈｅｒａｌ  Ｉｎｔｅｒｆａｃｅ  Ｃｏｎｔｒｏｌｌｅｒ：周辺機器接続制御用ＩＣ）から構成されて、ＰＩＣにＭ３０２８０を搭載する可能性があり、そのＩ／Ｏポート、外部中断源、シリアル通信ポート及び内部Ａ／Ｄアナログ・デジタルコンバーターがそれぞれ各コントロール機能モジュール回線と接続し、内部のＦｌａｓｈＲＯＭにプログラムソフトウェア、ＰＩＣ或いはＭ３０２８１、ＨＤ６４Ｆ３８４７を搭載し、そのマークによって対応するピンを接続する。
【００１３】
電気生理信号採集用の処理回線の第１−３チャンネルは同調スリーリード心電信号チャンネルとして、チャンネルごとに、通用のプリアンプ回線、ペーシングパルス抑制回線、ＤＣブロック回線、プログラマブルゲインアンプ（ＰＧＡ）回線、バンド・パス・フィルター回線から順序通りに接続構成される同時に、通用のセンサー脱落点検回線とＲ波トリガー回線、専用の基準電圧信号の回線を有する。
センサー脱落点検回線の三つのインプットエンドは三つのチャンネルのプリアンプ回線アウトプットエンドに接続し、Ｒ波トリガー回線インプットエンドが第３チャンネルのプリアンプ回線アウトプットエンドに接続し、基準電圧信号回線アウトプットエンドはそれぞれ三つのチャンネルのＤＣブロック回線アウトプットエンドに接続し、三つのチャンネルのバンド・パス・フィルター回線アウトプットエンドがマイクロプロセッサ回線Ｍ３０２８０内部Ａ／Ｄアナログ−デジタルコンバーターインプットエンドＰ１０．２−Ｐ１０．４に接続し、プログラマブルゲインアンプ（ＰＧＡ）回線コントロールエンドＡ、Ｂがマイクロプロセッサ回線Ｍ３０２８０のＰ１ポートＰ１．０−Ｐ１．１に接続し、センサー脱落点検回線アウトプットエンドとＲ波トリガー回線アウトプットエンドがそれぞれマイクロプロセッサ回線Ｍ３０２８０の中断ポート１、中断ポート２に接続する。
第４−５チャンネルは血圧信号採集チャンネルと呼吸信号採集チャンネルとして、チャンネルごとに、通用のバンド・パス・フィルター器回線、振幅制限器回線、シェーパー回線より順序通りに接続構成されて、二つのチャンネルのシェーパー回線アウトプットエンドはそれぞれマイクロプロセッサ回線Ｍ３０２８０内部Ａ／Ｄアナログ−デジタルコンバーターインプットエンドＰ１０．５−Ｐ１０．６に接続する。
【００１４】
電気生理信号採集処理回線内部の基準電圧信号回線が精密基準源、トライオード９０１３、限流抵抗器、分圧用精密抵抗器より接続構成され、精密基準源がＮＪＭ２８２３を利用される可能性があり、トライオード９０１３ベースがＭ３０２８０のＰ１ポートＰ１．３と接続し、エミッタ・ベースがメイン回線＋３．３Ｖ電源と接続し、コレクタが二つの限流抵抗器を通して、それぞれアースとＮＪＭ２８２３陰極に接続し、ＮＪＭ２８２３の正極がアースに接続し、二つの分圧用精密抵抗器を直列連結し、一つ側がＮＪＭ２８２３の陰極に接続し、もう一つ側がアースに接続し、真ん中のアウトプット側がＤＣブロック回線のアウトプット側に接続し、アウトプット側の基準電圧振幅が１ｍｖ×プリアンプ級の倍数となり、誤差が≦±１％となり、精密基準源がＣＹＴ４３１、又はＴＩ＿、４３１Ｂ、Ｉ．Ｍ４０５０を利用する可能性があり、そのマークによって対応するピンを接続する。
【００１５】
データメモリー回線がマイクロプロセッサ回線Ｍ３０２８０とデジタルメモリー器Ｆｌａｓｈより接続構成され、デジタルメモリー器ＦｌａｓｈがＮＡＮＤ０１Ｇ、Ｍ３０２８０のＰ０ポートＰ０．０−Ｐ０．７を利用する可能性があり、それぞえれＮＡＮＤ０１ＧのデータラインＤ０−Ｄ７に接続し、Ｍ３０２８０のＰ２ポートＰ２．２−Ｐ２．４がそれぞれＮＡＮＤ０１Ｇのチップ・セレクトＥに接続し、アドレスラッチＡＬ、命令ラッチＣＬに接続し、Ｍ３０２８０のＰ３ポートＰ３．４−Ｐ３．５がそれぞれＮＡＮＤ０ｌＧのリーダーＲＤ、ライトーＷＲに接続し、デジタルメモリーＦｌａｓｈがＫ９Ｋ１ＧＵ０Ｂ、或いはＴＣ５８ＤＶＧ０２Ａ１ＦＴ００、ＲＣ２８Ｆ１３Ｃ−１５０と利用する可能性があり、そのマークによって対応するピンを接続する。
【００１６】
緊急通報回線はキーボードにてトリガー回線とマイクロプロセッサ回線Ｍ３０２８０からなり、キーボードにてトリガー回線インプットエンドがメイン回線＋３．３Ｖ電源エンドに接続し、アウトプットエンドがＭ３０２８０のＰ１ポート中断源３に接続し、かつプールダウン抵抗を経由してアースに接続する。
【００１７】
無線ネットワークインターフェース回線がマイクロプロセッサ回線Ｍ３０２８０、ネットワーク処理器回線ＩＰ２０２２、ブルートゥース集成回線より接続構成され、ブルートゥース集成回線がＢｌｕｅＣｏｒｅ３１３１４３、Ｍ３０２８０シリアル通信ポート０のＴＸＤ、ＲＸＤ、ＣＴＳ、ＤＳＲが接続したＩＰ２０２２のシリアル通信１を利用する可能があり、Ｍ３０２８０のＰ５ポートＰ５．Ｏ−Ｐ５．２がそれぞれＩＰ２０２２リセットエンドＲＳＴ、状態コントロールエンドＰＲＧ、休眠コントロールエンド０Ｎ／０ＦＦ、ＩＰ２０２２シリアル通信ポート２のＨＯＳＴ＿ＴＸエンド、ＨＯＳＴ＿ＲＸエンド、ＨＯＳＴ＿ＣＴＳエンド、ＨＯＳＴ＿ＲＴＳエンドがそれぞれＢｌｕｅＣｏｒｅ３１３１４３のＵＡＲＴ＿ＲＸエンドとＵＡＲＴ＿ＴＸエンド、ＵＡＲＴ＿ＲＴＳエンド、ＵＡＲＴ＿ＣＴＳエンドに接続し、ＩＰ２０２２のＰＯＲＴＳＥＩエンド、ＳＬＥＥＰ＿ＥＮＡＢＬＥエンド、ＨＯＳＴ＿ＩＮＴエンド、ＤＩＳＣＯＮＮＥＣＴエンドがそれぞれＢｌｕｅＣｏｒｅ３１３１４３のリセットエンドＲＥＳＥＴ、電源コントロールエンドＶＲＥＧ＿ＥＮ、ワークエンドＰＷＲ＿ＵＰ、接続切断エンドＤＩＳＣＯＮＮＥＣＴ＿ＣＯＮに接続し、ブルートゥース集成回線がＢＣＭ２０３５、或いはＢＲＦ６１００／６１５０、ＭＣ７２０００を利用する可能性があり、そのマークによって対応するピンを接続するバッテリー管理回線はマイクロプロセッサ回線Ｍ３０２８０と電源管理集成回線ＬＭ２８７０、ＬＰ３９８６、ＬＰ３９８５からなり、マイクロプロセッサ回線Ｍ３０２８０のＰ７ポートＰ７．０−Ｐ７．２は電源管理集成回線ＬＭ２８７０、ＬＰ３９８６、ＬＰ３９８５のイネーブリングエンドＥＮをコントロールし、ＬＭ２８７０、ＬＰ３９８６インプットエンドが電源プラスと繋がり、アウトプットエンドはそれぞれメイン回線＋３．３、−３．３Ｖ電源エンドと繋がり、ＬＰ３９８５インプットエンドが電源プラスと繋がり、アウトプットエンドがメイン回線＋２．５Ｖ電源エンドと繋がる。
【００１８】
リアルタイムクロック回線はマイクロプロセッサ回線Ｍ３０２８０、リアルタイムクロック集成回線ＭＡＸ６９０２、ダイオードスイッチ回線、予備電源２．７Ｖリチウムイオン充電バッテリーからなり、マイクロプロセッサ回線Ｍ３０２８０のＰ３ポートＰ３．０−Ｐ３．３はそれぞれＭＡＸ６９０２のシリアル  クロックエンドＳＣＬＫ、シリアル  データアウトプットエンドＤＯＵＴ、シリアル  データインプットエンドＤＩＮ、チップ・セレクトＣＳに接続し、ダイオードスイッチ回線のダイオードＤ１陰極がメイン回線＋３．３Ｖ電源エンドと繋がり、正極がＭＡＸ６９０２の電源エンドと繋がり、ダイオードＤ２が一つの限流抵抗器を並列連結し、マイナスエンドは予備電源の２．７Ｖリチウムイオン充電バッテリーのプラスと繋がり、プラスエンドがＭＡＸ６９０２の電源エンドと繋がる。
【００１９】
図形液晶回線はマイクロプロセッサ回線Ｍ３０２８０と液晶駆動集成回線ＳＴ７５４１及びカラーデイスプレーからなり、マイクロプロセッサ回線Ｍ３０２８０のＰ０ポートＰ０．１−Ｐ０．７がそれぞれＳＴ７５４１のデータポートラインＤ０−Ｄ７に接続し、Ｍ３０２８０のＰ７ポートＰ７．３−７．６がそれぞれＳＴ７５４１チップ・セレクトＣＳ、リセットエンドＲＥＳ、リーダーＲＤ、ライトーＷＲに接続する。
【００２０】
機械振動回線はマイクロプロセッサ回Ｍ３０２８０と駆動トライオードＭＤＣ３１０５、振動電機Ｐ−２５１１からなり、マイクロプロセッサ回線Ｍ３０２８０のＰ１０ポートＰ１０．０が限流抵抗器を経由してＭＤＣ３１０５のベースに接続し、ＭＤＣ３１０５のエミッタ・ベースがアースに接続し、振動電機Ｐ−２５１１の一つ側がＭＤ３１０５のコレクタに接続し、もう一つ側がメイン回線＋３．３Ｖ電源エンドに接続する。
【００２１】
ブザー回線はマイクロプロセッサ回線Ｍ３０２８０と駆動トライオード９０１２、ブザーからなり、マイクロプロセッサ回線Ｍ３０２８０のＰ１０ポートＰ１０．１が限流抵抗器を経由して、９０１２のベースに接続し、９０１２のコレクタがメイン回線＋３．３Ｖ電源エンドに接続し、ブザー一つ側が９０１２のエミッタ・ベースに接続し、もう一つ側がアースに接続する。
【００２２】
ＵＳＢインターフェース回線はマイクロプロセッサ回線Ｍ３０２８０とＵＳＢモジュールＰＤＩＵＳＢＤ１２からなり、マイクロプロセッサ回線Ｍ３０２８０のＰ０ポートＰ０．０−Ｐ０．７がＰＤＩＵＳＢＤ１２のＤ０−Ｄ７に接続し、Ｍ３０２８０のＰ９ポートＰ９．０−Ｐ９．５それぞれＰＤＩＵＳＢＤ１２のチップ・セレクトＵＳＢＣＳ、中断コントロールエンドＵＳＢＩＮＴ、リセットエンドＲＥＳＥＴ、ライトーＷＲ、リーダーＲＤ、Ａ０エンド、ＰＤＩＵＳＢＤ１２のシリアル通信ポートＤ−に接続し、Ｄ＋は外部設備のＵＳＢエンドポートに接続する。
【００２３】
本発明の実施例１の中において、述べた遠距離移動監視測定装置の集成回線は全て、低消費電力のＣＭＯＳ集成回線を利用して、バッテリー電圧が±３．３Ｖとなり、３．７Ｖ  ８００ｍＡ使用場合、リチウムバッテリで電力を提供し、継続動作時間？４８時間となる。
【００２４】
本発明の実施例１の動作原理について、マイクロプロセッサ回線は電気生理信号採集処理回線をコントロールして、心電、血圧、呼吸シミュレーション信号を採集処理し、基準電圧信号回線に基準電圧信号を発信させることを命令し、マイクロプロセッサ回線の内部に搭載するＡ／Ｄアナログ・デジタルコンバーターは電気生理信号シミュレーション信号をデジタル信号に切り替えて、述べた応用プログラムが基準電圧とゲインに基づき、デジタル信号を分析処理してから、データメモリー回線に送信してメモリーを行い、マイクロプロセッサコントロールデータメモリー回線がアドレスに応じて、述べた遠距離移動監視測定装置の各種類データをメモリーする。
マイクロプロセッサ回線が病理性異常事件を発見したら、予知警告を与える同時に異常事件データと関連する事件データを時間順序で事件バケットを組合せて、無線ネットワークインターフェース回線に接続し、外部のネットワークターミナルインターフェースに接続し、無線双向デジタル通信リンクを作り、ワイドエリアネットワークに接続して事件バケットを遠隔電気生理データ監視測定サーバーに送信して、サーバーからの返信のコントロール命令と処理処方オーダーを受信して執行する。
【００２５】
本発明の実施例１に記載した基準電圧信号回線はマイクロプロセッサ回線にコントロールされた上で基準電圧信号を発信し、監視測定記録の心電波形ＱＲＳ波群とＳＴセジメントの幅を基準化させ、述べた応用プログラムに自己適応分析計算の基準とする。
【００２６】
本発明の実施例１に記載したデータメモリー回線は述べた応用プログラムアドレッシングにコントロールされた上で文字ライブラリーメモリーエリアアドレス、情報設置メモリーエリアアドレス、異常電気生理データメモリーエリアアドレス、継続電気生理データメモリーエリアアドレスに分けられて、同時に各メモリーエリアの容量のサイズをコントロールし、述べた遠距離移動監視測定装置の各種類データがアドレスに応じて、各メモリーエリアに保存されてデータメモリー回線は述べた応用プログラム命令及びアドレスと一致するメモリーエリアに応じて、リード、ライト、修正、削除の操作を行う。
【００２７】
本発明の実施例１に記載した無線ネットワークインターフェース回線は国際通用の２．４ＧＨｚ周波数を採用して、無線通信の距離を０−１００メートルとし、内部にＴＣＰ／ＩＰプロトコル、ＰＰＰプロトコル、ブルートゥースプロトコルを搭載し、ユーザー個人標識アドレスコードＰｉｎを具備して、インターネット、イントラネット、ＡＤＳＬ、ＶＤＳＬ、ＩＳＤＮ、ＤＤＮ、有線テレビ通信網、電力線通信網ターミナルインターフェースのような外部のネットワークターミナルインターフェースと無線双向デジタル通信リンクを行い、自動エラー訂正／転送直しの機能と７９個のホップ周波数ポイント、自動ホップ調整デジタル通信チャンネルを有して、同周波数或いは同種類の設備の間に妨害衝突を防止して、デジタル通信の信頼性を向上させるようになる。
無線ネットワークインターフェース回線はデータ送信がない場合、休眠状態にあり、マイクロプロセッサ回線がデータを発信するときに、ワークが無線ネットワークインターフェース回線を起動させて動作を行う。
【００２８】
本発明の実施例１に記載した緊急通報回線は緊急通報トリガー信号を提供して、述べたマイクロプロセッサ回線が緊急通報トリガー信号を受信してから、コントロール無線ネットワークインターフェースの回線の動作がスタートさせ、外部のネットワークターミナルインターフェースを経由して、ワイドエリアネットワーク及びショットメッセジーセンターに接続し、設定した受信ターミナルにヘルプ情報を発信する。
【００２９】
本発明の実施例１に記載したバッテリー管理回線は各機能モジュール回線にバッテリーを提供して、マイクロプロセッサ回線がそれぞれ電源管理集成回線の三つのイネーブリングエンドＥＮをコントロールする。
動作の必要に応じて、各機能モジュール回線にそれぞれ安定的な＋３．３Ｖ、−３．３Ｖ、＋２．５Ｖバッテリーを提供する。
【００３０】
本発明の実施例１に記載したリアルタイムクロック回線は述べた応用プログラムにカレンダーとリアルタイム２４時間クロックを提供して、述べた応用プログラムリードリアルタイムクロック回線の期日と時間、信号採集メモリーと各種類の事件データ、各種類の操作情報データなどに期日時間をマーキングする。
メイン回線電源からリアルタイムクロック回線に電力を提供する時に、同時に予備電源の２．７Ｖリチウムイオン充電バッテリーを充電し、メイン回線の電源が切れた場合、２．７Ｖリチウムイオン充電バッテリーが単独にリアルタイムクロック回線に電力を提供する。
【００３１】
本発明の実施例１に記載した図形液晶回線はマイクロプロセッサ回線にコントロールされ上でローリング又はフリージングで心電、血圧、呼吸波形及び各種類図形符号、各種類言語、各種類文字をデイスプレーし、フラッシュライトを予知警告として提示する。
【００３２】
本発明の実施例１に記載した機械振動回線とブザー回線は事件警告アラームの機械振動とオデイオを提供して、マイクロプロセッサ回線がそれぞれ機械振動回線とブザー回線の駆動トライオードベースをコントロールし、ハイレベルに設置されたときに、電源が投入されて、機械振動とオデイオを出す。
【００３３】
本発明の実施例１に記載したＵＳＢインターフェース回線は外部設備のＵＳインターフェースに接続し、述べた遠距離移動監視測定装置が外部の設備に継続監視測定記録の電気生理データを転送ダウンロードし、ＵＳＢインターフェース回線がマイクロプロセッサ回線にコントロールされた上で、外部の設備とデータ情報交換及びネットワークデジタル通信を行い、外部の設備にコンピューターＰＣ、ＵＳＢインターフェース付けのネットワークターミナル設備を含むが、それに限られない。
【実施例２】
【００３４】
本発明はワイドエリアネットワークをベースにする電気生理データ遠距離移動監視測定方法を提出した。
プログラムと述べた応用プログラムが述べた遠距離移動監視測定装置の自己適応分析計算、異常事件警告とアラーム権限レベル別の設定、事件バケット組合わせ、ネットワークデジタル通信、データメモリー回線エリア管理、安全情報データメモリー管理、遠距離緊急通報をコントロールする以外に、以下のステップを含める。
ステップ１：述べた応用プログラムは基準電圧とゲインによって現時点の電気生理データを採集計算した初期値データが判設定閾値の範囲内に存在するか判断し、今回監視測定の初期値として分析計算を監視測定し、もし初期値データが設定閾値に達したら、述べた応用プログラムが初期値事件マークをセットしてそれをメモリーし、自己適応調整を行い、閾値の上限或いは下限を設定し、同初期値データを今回監視測定の初期値として分析計算を監視測定し、監視測定データが自己適応閾値に達したら、述べた応用プログラムが異常電気生理事件マークをセットし、データマークを送信し、もし初期値データが設定閾値を越えたら、述べた応用プログラムが異常電気生理事件マークをセットし、データマークを送信する；
ステップ２：述べた応用プログラムは述べた各種類の異常事件マークによって、レベル別の警告マークをセットし、述べた遠距離移動監視測定装置に一級警告アラーム権限と二級、三級警告予知警告権限を設置させ、述べた警告マークをセットする場合、命令関連回線がアラーム／或いは予知警告操作を執行する；
ステップ３：述べた応用プログラムは今回異常事件マークの発生時間Ｔｎによって、前側に６０分間のタイムスロットを６つ配列し、６つのタイムスロットの中に今回事件と関連する事件データ記録を取得し、時間順序によって、事件バケットを組み合わせて、タイムスロット＜６となり、その最大時間を取得する；
ステップ４：述べた応用プログラムは送信したデータマークによって、無線ネットワークインターフェース回線が起動させることを命令し、ブルートゥースプロトコルを利用して、リサーチ命令を出し、有效距離以内の外部ネットワークターミナルインターフェースが返信してから、無線ネットワークインターフェース回線から個人マークアドレスコードを出してＰｉｎ認証を行い、無線双向デジタル通信リンクを作り、述べた応用プログラムが識別命令を出し、外部のネットワークが移動インターネット或いは線ネットワークであるかを判断する；
ステップ５：述べた応用プログラムは外部のネットワークが移動インターネットだと判断されたら、遠隔電気生理データ監視測定サーバーの固定ＩＰアドレスを読み込んで、ＴＣＰ／ＩＰプロトコルとＰＰＰプロトコルを利用し、有線ネットワークの場合、述べた応用プログラムは遠隔電気生理データ監視測定サーバー固定ＩＰアドレスを読み込んで、有線ネットワークコントロール命令を利用し、無線ネットワークインターフェース回線が移動インターネット／或いは有線ネットワークと遠隔電気生理データ監視測定サーバーと接続し、ネットワークデジタル通信をコントロールし、事件バケット或いはデータ情報を送信し、サーバーから返信したコントロール命令及び分析結果、処方オーダーを受信し、コントロール命令をリスボンサーし、関連作業を執行する。
ステップ６：述べた応用プログラムは無線ネットワークインターフェース回線がオンライン接続保持状態（Ｈｏｌｄ）にコントロールさせ、データの転送を停止させ、オンライン接続コントロールを保持させ、述べた応用プログラム或いは遠隔電気生理データ監視測定サーバーが刺激信号を出すと、デジタル通信を回復させる。
ステップ７：述べたデータメモリー回線は述べた応用プログラムアドレッシングによって、文字ライブラリーメモリーエリア、情報セットメモリーエリア、安全情報メモリーエリア、異常電気生理データメモリーエリア、連続電気生理データメモリーエリアに分けられ、述べた応用プログラム命令とアドレス対応のメモリーエリアに基づき、リード、ライト、修正、削除の操作を行い、かつ安全情報メモリーエリア循環記録メモリーを設置し、人工で削除する不可能となるが、循環記録周期の設置を調整する可能となる；
ステップ８：述べた応用プログラムは述べた遠距離移動監視測定装置の？置情報データを受信した場合、データメモリー回線にライト命令を出し、データのためにアドレスを設定してから設置情報メモリーエリアに保存する。
ステップ９：述べた応用プログラムは述べた遠距離移動監視測定装置の操作情報データを受信した場合、データメモリー回線にライト命令を出し、データのためにアドレスを設定してから安全情報メモリーエリアに保存する；
ステップ１０：述べた応用プログラムは緊急通報トリガー信号を受信した場合、緊急通報マークをセットし、データマークを送信して、ＳＰコードとデジタル移動電話番号／或いはＭＭＳアドレス及びヘルプ情報をリードし、無線ネットワークインターフェース回線に移動インターネットターミナルインターフェース接続ショットメッセジーセンターとアクセスさせることをコントロールし、ヘルプ情報を設置されておく受信ターミナルに送信し、述べた応用プログラムは１０秒以内に受信エンドから「返信済み」という情報を受信していない。
組込み遠隔電気生理データ監視測定サーバー固定ＩＰアドレスとヘルプ情報をリードし、無線ネットワークインターフェース回線にワイドエリアネットワークに接続させることをコントロールし、ヘルプ情報を遠隔電気生理データ監視測定サーバーに送信すると、受信エンドから「受信済み」という情報をもらたら、循環呼出を停止させる。
【００３５】
次に、本発明の動作流れについて詳細に説明する。
ハードウェア原理フレーム図とソフトウェアプログラム流れ図は図２、図３、図４、図５、図６、図７、図８、図９、図１０、図１１御参照。
【００３６】
図２、図３に示したように、本発明に記載した電気生理信号採集処理回線の第１−３シミュレーション信号チャンネルは同調スリーリード心電信号チャンネルとして、リード体系について、前胸監視測定リード体系ＣＭＶｌ＋ＣＭＶ３＋ＣＭＶ５、或いはＣＭＶ２＋ＣＭＶ５＋Ｍａｖｆを採用する可能となる。
第１−３シミュレーション信号チャンネルプリアンプ回線は高精度儀表アンプを採用することで、ＣＭＲＲが高く、コモンモード妨害を減少させ、心電シミュレーション信号がプリアンプされた上で、二路に分けられて、そのうちに、一つがペーシングパルス抑制回線とＤＣブロック回線を経由して、プログラマブルゲインアンプ（ＰＧＡ）回線とバンド・パス・フィルター器回線に入って、シミュレーション信号をアンプして、濾除高低周波数の妨害をフィルターして、Ａ／Ｄアナログ・デジタルコンバーターでアナログデータの切替を行う。
ペーシングパルス抑回線の役目として、広がりパルスを低くして、ペーシングパルスが心電信号へ与えた影響を減少させ、ＤＣブロック回線の役目として、直流電圧と直流極化電圧をフィルターして、心電シミュレーション信号を歪まなく次のレベルまでカップリングして、プログラマブルゲインアンプ（ＰＧＡ）回線の役目として、心電シミュレーション信号の強弱によって、アンプル倍数を調整して、バンド・パス・フィルター器回線のバンドウィドが０．０５Ｈｚ−１００Ｈｚとなり、高周波数筋電妨害、ベースラインドリフトなどをフィルターして、アナログデーターコンバーターに高品質のオリジナル信号を提供する。
もう一つの心電シミュレーション信号がＲ波トリガー回線に入って、ハードウェア回線を利用してＱＲＳ波群をチェックし、マイクロプロセッサ分析プログラムにＲ波タイムシークエンスを提供し、ソフトウェアプログラムに合わせて、心電波群を分析する。
基準電圧信号回線のアウトプットエンドがＤＣブロック回線アウトプットエンドに接続し、前者が后者のタイムコンスタントへの影響を避けた。
マイクロプロセッサ回線Ｐ１．２がハイレベルに設置された場合、基準電圧信号の回線は自動に心電データ計算分析に必要な基準電圧を形成して、方波の形式でフレームごとの心電図の前側に標記される。
第４−５チャンネルが血圧信号チャンネルと呼吸信号チャンネルとして、通用のバンド・パス・フィルター器、振幅制限器、シェーパーからなり、センサーが既存の携帯式動態血圧器と定電流源の胸阻抗呼吸監視測定器を利用し、二つのシミュレーション信号アウトプットエンドからそれぞれ第４−５のシミュレーション信号チャンネルインプットエンドにアクセスし、バンド・パス・フィルター回線を経由して、高低周波数の妨害と幅限定をフィルターして、整形しながらＡ／Ｄアナログ・デジタルコンバーターでアナログデーターの切替を行う。
マイクロプロセッサＭ３０２８０内部に搭載した１０桁Ａ／Ｄアナログ・デジタルコンバーターは５つのチャンネルのシミュレーション信号を同調に採集・切替でき、サンプルリングの精度が３μｖに達した。
従って、気生理信号監視測定分析の精度要求に満足でき、それに採集した心電、血圧、呼吸生理データを監視測定でき、人工で第４、第５チャンネルをオフさせることを設置でき、第４−５チャンネルがオフされたことを設置したら、述べた応用プログラムがこの二つのチャンネル信号の採集及び分析処理を中止させる。
【００３７】
図４−図１１に示したように、本発明に記載したマイクロプロセッサ回線は述べた遠距離移動監視測定装置のコアとして、内部ＦｌａｓｈＲＯＭにプログラムを搭載し、全体機器の稼動コントロールと各機能モジュール回線のコントロールを担当する。
述べた応用プログラムにメインプログラムと電気生理データ分析サブプログラム、インタリジェント診断サブプログラム、無線双向通信コントロールサブプログラム、コントロール命令処理サブプログラム、緊急通報サブプログラム、事件警告予知警告とアラームサブプログラムなどを含む。
マイクロプロセッサ回線が動作を起動させたときに、述べた応用プログラムがまず初期化の自己検査を行い、各機能モジュール回線の状態をチェックし、接続の有効距離以内の外部ネットワークターミナルインターフェース状態を見つけ、初期化の自己検査が完了した後、採集電気生理シミュレーション信号がＡ／Ｄアナログデーターコンバーターを行い、通用のデジタルフィルターを利用して、さらに筋電騒音妨害、ベースラインドリフト、パワー周波数妨害の防止などを行うことで、高品質の電気生理デジタル信号をもらい、分析処理した上で、データメモリー回線に入れて、メモリーを分類する。
【００３８】
本発明は電気生理データの自己適応分析の計算方法を提出した。
生命安全と関わる電気生理データを分析・予知警告し、心電データ分析に心律失常とＳＴセジメント変化という二つの二種類があり、血圧データの分析について、２４時間血圧変化データによって、血圧変化動向と脈圧差を計算し、２４時間の血圧動向図を統計計算する。
呼吸データの分析について、呼吸頻度の変化によって、一分間ごとの呼吸頻度、リズム、一時停止時間の長さを計算し、２４時間呼吸動向図を統計計算する。
【００３９】
電気生理データが既に異常変化があるユーザもいるが、日常生活の中の電気生理データの生理性変化があるユーザもいる。
従い、述べた自己適応分析計算方法は臨床の意義のある電気生理データ動態変化を監視測定することを目指す。
述べた応用プログラムはハードウェア回線Ｒ波トリガーから提供したＱＲＳ波群タイムシークエンス及び基準電圧信号回線から提供した基準電圧振幅に基づき、Ｒ−Ｒインタバール、ＱＲＳ波群時間限定、ＳＴセジメント振幅、収縮期圧、拡張期血、呼吸周期などの主要パラメーターを計算測量する。
述べた応用プログラムコントロールマイクロプロセッサ回線はまず、ユーザーの現時点の電気生理データを採集計算して初期値データを得て、述べた応用プログラムは初期値データが設定閾値の範囲以内に存在するか判断し、初期値データを今回監視測定の初期値として、今回監視測定の初期値として分析計算を監視測定し、もし初期値データが設定閾値に達したら、述べた応用プログラムが初期値事件マークをセットしてそれをメモリーし、自己適応調整を行い、閾値の上限或いは下限を設定し、同初期値データを今回監視測定の初期値として分析計算を監視測定し、監視測定データが自己適応閾値に達したら、述べた応用プログラムが異常電気生理事件マークをセットし、データマークを送信し、同時に三級警告マークをセットして、予知警告を出す。
もし初期値データが設定閾値を越えたら、述べた応用プログラムが異常電気生理事件マークをセットし、データマークを送信し、同時に三級警告マークをセットして、予知警告を出す。
【００４０】
心電信号データの自己適応分析計算を例として、ユーザー初期値データ心電の心停止時間が設定閾値の３秒に達した場合、プログラムは初期値事件マークを設置してメモリーし、自己適応で設定閾値を３．３秒に調整させ、心停止時間が自己適応閾値３．３秒に達したら、病理性異常性事件マークをセットして、データマークを送信する同時に三級警告マークをセットして、図形液晶回線をコントロールして、フラッシュと文字予知警告を出す。
述べた応用プログラムは病理性異常性事件マークと送信したデータマークに基づき、今回の事件データとこの間のことと関連する事件データをバックして、無線ネットワークインターフェース回線を起動させて、外部ネットワークに接続し、事件バケットを到隔電気生理データ監視測定サーバーに送信して、処理を行う。
述べた応用プログラムは遠隔電気生理データを受信して、監視測定サーバーから返信したコントロール命令を執行し、病理性異常事件アラームを発信するかについて確認する。
本発明に記載した自己適応分析計算方法のメリットとして、臨床診断の意義のある電気生理データの動態変化と異常前兆の変化を捕まえ、監視測定できる。
従い、ユーザーエンドは複雑な人工設置分析診断閾値の捜索をせずに、ユーザーの取扱に便利となり、既存技術に存在する問題点を解決した。
【００４１】
本発明はデータメモリー回線メモリーエリア管理と安全情報データメモリー管理の方法を提出した。
述べた応用プログラムアドレッシングコントロールデータメモリー回線は五つのデータメモリーエリアに分けられて、各メモリーエリアの容量サイズをコントロールし、述べた応用プログラムは五つのデータメモリーエリアのリード、ライト、修正、削除の操作をコントロールする。
文字ライブラリーメモリーエリアに、主に述べた遠距離移動監視測定装置の各種類の文字と図形符号データを保存する。
情報設置メモリーエリアに、主にユーザが設定した各種類パラメーター情報データを保存する。情報設置データとは、文字、符号、アルファベット、デジタル、図案及びその組合せであり、組込み遠隔電気生理データ監視測定サーバー固定ＩＰアドレス、ＳＰコードとデジタル移動電話番号、ＭＭＳアドレス、ユーザーネームとパスワード、ヘルプ情報を含むが、それに限られない。
異常電気生理データメモリーエリアに主に異常事件電気生理データと人工操作記録データを保存する；継続電気生理データメモリーエリアに、主に２４時間の継続監視測定電気生理データを保存する。
同エリアは多くても、４８時間の継続監視測定電気生理データを保存することができる；安全情報メモリーエリアに、主にユーザーの操作情報データを保存する。
述べた応用プログラムは同エリア循環記録メモリーを設定し、人工削除不可能となり、循環記録の周期の設置を調整する。操作情報バケットにオンオフ時間、アラーム原因と時間、データ送信方式と送信時間、リスボンサーコントロール命令データ内容と時間、受信した処方オーダー内容と時間、緊急通報トリガー事件時間とリスボンサー返信時間を含むが、それに限られない。
データメモリー回線は了突発の異常電気生理データと継続の電気生理データを記録・メモリーする同時に、安全情報データを医療証拠として保存し、データメモリー回線の機能とアプリケーションを広げた。
【００４２】
本発明は事件バケット組合せの方法を提出した。
述べた応用プログラムは異常事件マークを受信して、データマークを送信した場合、今回の異常事件マークの発生時間によって、前へ６個の６０分間を配列して、つまりＴｎ、Ｔｎ−１、Ｔｎ−２、Ｔｎ−３、Ｔｎ−４、Ｔｎ−５となる。
述べた応用プログラムで設定したＴｎ時間以内に今回事件と関連する事件記録データを全てバケットに入れる。
Ｔｎ時間列の前の各時間列の中に一回の関連事件記録データをシークして、バケットに入れる。時間序列によって、事件バケットを組み合せる。
時間列＜６とり、その最大の時間を取る。
事件バケットの組合せは既存の技術に必要な多回で発信する、或いは某時間列のデータだけを送信する問題を解決した。
【００４３】
本発明は異常事件警告とアラーム権限レベル別の設定方法を提出した。
述べた応用プログラムは異常事件にレベルごとに、警告マークを設定し、設定マイクロプロセッサ回線に一級警告アラーム権限と二級、三級警告予知警告権限を具備して、述べた遠距離移動監視測定装置の予知警告とアラームをコントロールする。
一級警告とは、機能性事件であり、センサーの脱落、動作電圧の不足、アクセス信号の中断、アクセス送信の失敗、無線接続の失敗、緊急通報の失敗などの事件を含むが、それに限られない。
述べた応用プログラムは機能性の事件を発見して、機能性の事件マークをセットし、機能性の事件マークによって、一級警告マークをセットし、関連回線に振動、オーデイオ、文字の方式でアラームを発信させることを命令し、ユーザーが確認した後で、アラームを中止する。
二級警告とは、人工記録トリガー事件と設定閾値に達した病理性異常事件であり、設定閾値に達した不整脈とＳＴセジメント変化、血圧変化、呼吸リズム変化を含む。
述べた応用プログラムは人工記録事件或いは設定閾値に達した病理性異常事件を発見したら、異常事件マークをセットして、データマークを送信し、異常事件マークに基づき、二級警告マークをセットする。
三級警告は、主に設定閾値の以上と自己適応閾値に達した病理性異常事件であり、厳重の？重の不整脈、急性ＳＴセジメント変化、血圧の激しい変化、呼吸突然停止を含む。
述べた応用プログラムは自己適応閾値に達した、と設定閾値以上の病理性異常事件を発見して、病理性異常事件マークをセットして、データマークを送信し、病理性異常事件マークに基づき、三級警告マークをセットする。
述べた応用プログラムは二級警告マークと三級警告マークに基づき、関連回線に振動、オーデイオ、文字の方式でアラームを発信させることを命令し、ユーザーに異常データが遠隔電気生理データ監視測定サーバーに送信したことを知らせ、同時に、サーバーから返信したコントロール命令を執行し、コントロール命令によって、アラームを送信するか判断して、病理性異常事件のエラーアラームの発信という問題を解決した。
【００４４】
本発明は電気生理監視測定データのネットワークデジタル通信の方法を提出した。
述べた応用プログラムは送信データマークを受信した場合、ワーク無線ネットワークインターフェース回線が起動させて、ブルートゥースプロトコルを利用して、捜索命令を出す。
有効距離以内の外部ネットワークターミナルインターフェースがリスボンサーしてから、無線ネットワークインターフェース回線が個人標識アドレスコードＰｉｎを送信して認証を行う。
外部ネットワークターミナルインターフェースと無線双向デジタル通信リンクを作り、無線ネットワークインターフェース回線は外部ネットワークに識別命令を出して、外部ネットワークが移動インターネットであるか、有線ネットワークであるかについて判断する。
もし、移動インターネットであれば、述べた応用プログラムは遠隔電気生理データの監視測定サーバー固定ＩＰアドレスをリードして、ＴＣＰ／ＩＰプロトコル、ＰＰＰプロトコルを利用して、無線ネットワークインターフェース回線が移動インターネットと双向デジタル通信リンクを作り、事件バケットを遠隔電気生理データ監視測定サーバーに送信する。
有線ネットワークであれば、述べた応用プログラムは遠隔電気生理データの監視測定サーバー固定ＩＰアドレスをリードして、有線ネットワークのコントロール命令を利用して、無線ネットワークインターフェース回線が有線ネットワークと双向デジタル通信リンクを作り、事件バケットを遠隔電気生理データ監視測定サーバーに送信する。
無線ネットワークインターフェース回線は遠隔電気生理データ監視測定サーバーから返信したコントロール命令と診断結論、処理処方オーダーを受信して、復調後、マイクロプロセッサ回線より処理を行う。
マイクロプロセッサ回線はコントロール命令をリスボンサー・執行し、執行結果を遠隔電気生理データ監視測定サーバーに返信して、述べたコントロール命令とは、基準操作命令とデータでもあり、ユーザー定義命令とデータでもあり、検証パスワード命令、内部情報獲得命令、機能設置命令及び病理性異常事件アラーム命令を含むが、それに限られない。
無線ネットワークインターフェース回線は自動にデータ発信状况を監視測定して、エラーの訂正を行う。それが無線転送のエラーであるか、或いはネットワーク転送エラーであるかを判断して、無線転送エラーであれば、ホップして、送信し直する。ネットワークの転送エラー＞５回になれば、「アクセス送信失敗」のマークをセットする。
【００４５】
述べた応用プログラムにコントロールされた上で、無線ネットワークインターフェース回線は常にオンラインアクセス保持する機能（Ｈｏｌｄ）も具備し、同回線はＨｏｌｄ状態中において、データ転送を停止し、消費電力を削減させ、オンライン接続を保持する。
マイクロプロセッサ回線或いは遠隔電気生理データ監視測定サーバーから刺激信号を送信すると、デジタル通信を回復する。述べた応用プログラムは無線ネットワークインターフェース回線がインターネットの間に切り替えさせ、アクセス外部ネットワークターミナルインターフェースをシークすることをコントロールし、連続に５回で外部ネットワークターミナルインターフェースをシークすることに失敗すれば、「無線接続失敗」のマークをセットし、警告アラームを送信して、ユーザーに注意を払ってもらうようにする。
無線ネットワークインターフェース回線にアクセスする外部ネットワークターミナルインターフェースには移動インターネット、イントラネット、ＡＤＳＬ、ＶＤＳＬ、ＩＳＤＮ、有線テレビ通信網、電力線通信網ターミナルインターフェースを含むが、それに限られない。
ユーザーは公共場所と家庭などの環境の中で、無線で身辺の外部ネットワークターミナルインターフェースにアクセスし、ワイドエリアネットワークと接続して、ネットワークデジタル通信を行うことができ、移動（モバイル）・中聯（ユニコム）のネットとインターネットとの間にローミングネットの接続を切り替え、オンライン接続を保持させることができるのは、既存技術の不足を改善した。
【００４６】
本発明に記載した無線ネットワークインターフェース回線は国際通用のブルートゥースプロトコル規範とネットワークプロトコルを利用した。
従い、外部のネットのターミナルインターフェース中において、移動インターネットターミナルデジタル移動電話ブルートゥース無線インターフェース及び有線ネットワークターミナルブルートゥース無線アクセス器も既存製品の技術であるため、ここで詳細に説明するのを略する。
【００４７】
本発明は遠距離緊急通報の方法を提出した。
緊急通報回線はマイクロプロセッサ回線にトリガー信号を送信した場合、述べた応用プログラムが緊急通報マークをセットし、データマークを送信して、設置情報メモリーエリアに保存されておくＳＰコードとデジタル移動電話番号／或いはＭＭＳアドレス及びヘルプ情報をリードし、無線ネットワークインターフェース回線に移動インターネットターミナルインターフェースにアクセスさせ、ショットメッセジーセンターに接続させることをコントロールして、ヘルプ情報を設置されておく受信ターミナルに送信して、受信エンドが「受信済み」という情報を受信したら、受信ターミナルとはデジタル移動電話でもあり、コンピューターＰＣ／或いはサーバーでもある。
述べた応用プログラムは１０秒以内に受信エンドから返信した「受信済み」という情報を受信せず、電気生理データ監視測定サーバー固定ＩＰアドレスとヘルプ情報をリードし、無線ネットワークインターフェース回線が外部ネットワークターミナルインターフェースにアクセスさせ、ワイドエリアネットワークに接続させることをコントロールして、ヘルプ情報を遠隔電気生理データ監視測定サーバーに送信して、繰り返してヘルプ情報を送信して、受信エンドからの「受信済み」という情報を受信して、循環呼出を停止させ、退出する。
循環呼出の回数＞５の場合、「緊急通報失敗」のマークをセットして、警告アラームを発信して、ユーザーに注意を払ってもらうようにするのはユーザーが非監視測定の状態における遠距離緊急通報ヘルプという問題を解決した。
【００４８】
マイクロプロセッサ回線はそれぞれ電源管理集成回線の三つのイネーブリングエンドＥＮをコントロールする。
イネーブリングエンドＥＮがハイレベルである場合、電源管理集成回線が起動させ、動作の必要に応じて、それぞれ各機能のモジュール回線に安定的な＋３．３Ｖ、−３．３Ｖ、＋２．５Ｖバッテリーを提供し、省エネ電源を節約させ、全体の機械の電気消耗を減少させるという目的を果たした。
【００４９】
リアルタイムクロック回線はカレンダーとリアルタイム２４時間クロックを提供した。
述べた応用プログラムは期日と時間をリードして、信号採集メモリーと各種類事件データ、各種類設置情報データ、各種類操作情報データなどに期日と時間をマーキングする。
メイン回線電源がリアルタイムクロック回線に電源を提供する場合、同時に予備電源リチウムイオン充電バッテリーを充電する。
メイン回線電源が切れた場合、リチウムイオン充電バッテリーは単独にリアルタイムクロック回線に電源を提供することで、リアルタイムクロック回線が継続に動作させることができるようにする。
【００５０】
図形液晶回線は心電、血圧、呼吸波形及び各種類図形符号、各種類言語、各種類文字をデイスプレーし、述べた応用プログラム命令マイクロプロセッサ回線は図形液晶回線がローリング又はフリージングで心電、血圧、呼吸波形及び各種類図形符号、各種類言語、各種類文字をデイスプレーし、フラッシュライトを予知警告として提示する。
【００５１】
機械振動回線とブザー回線は事件警告アラームの機械振動とオデイオを提供して、マイクロプロセッサ回線は一級警告マークに基づき、機械振動回線、ブザー回線をコントロールし、図形液晶回線が振動、オデイオ、文字の方式でアラームを出し、マイクロプロセッサ回線は二級と三級警告マークに基づき、図形液晶回線をコントロールして、フラッシュライトと文字で予知警告を出す同時に、事件バケットを遠隔電気生理データ監視測定サーバーに送信して、マイクロプロセッサ回線はサーバーから返信したアラーム送信というコントロール命令を受信した場合、関連回線をコントロールして、周波数別の振動、オデイオと文字でアラームを出す。
【００５２】
述べた遠距離移動監視測定装置は２４時間或いは２４時間以上の連続監視測定電気生理データを記録した結果を医者への分析根拠とする。
必要に応じて、ＵＳＢインターフェース回線が外部設備のＵＳＢインターフェースに接続して、ダウンロードした継続監視測定記録の電気生理データを転送し、ＵＳＢインターフェース回線はマイクロプロセッサ回線にコントロールされた上で、外部設備とデータ情報交換、ネットワークデジタル通信を行う可能となり、外部設備はコンピューターＰＣ、ＵＳＢインターフェース付けのネットワークターミナル設備を含むが、それに限られない。
【００５３】
本発明はＣ言語で設計したソフトウェアプログラムを利用したため、拡張性と移植性が素晴らしくて、多種類のＰＩＣシステムに適用することができる。
【００５４】
本発明はユニックのネットワーク機能を有する個人医療情報の道具として、電気生理データの動態変化を自動に監視測定し、無線でワイドエリアネットワークに接続して、ネットワークデジタル通信を行うことで、移動（モバイル）・中聯（ユニコム）のネットとインターネットとの間にローミングネットの接続を切り替え、何れかのモードでも、移動インターネットターミナルインターフェースに無線双向通信リンクを作り、移動インターネットに接続でき、ユーザーに対して、移動インターネットターミナルインターフェースを経由して、受信からのポジションを判断できる。
従い、電気生理データの遠距離移動監視測定の利用者が多い場合に適用する。
【００５５】
前述通りに、本発明を詳細的に説明した。
その中からいろいろな本専売特許をベースにする同効果で、切替可能な、修正案を派生することができるが、本発明のある特徴及び機能はほかの関連機能に関係しない上で、単独に利用される可能となり、それも本発明の範囲以内に存在している。
【図面の簡単な説明】
【００５６】
【図１】ワイドエリアネットワークをベースにする電気生理データ遠距離移動監視測定ネットワークトポロジー図である。
【図２】ワイドエリアネットワークをベースにする電気生理データ遠距離移動監視測定装置原理フレーム図である。
【図３】電気生理データ採集処理回線原理フレーム図である。
【図４】メインプログラム流れ図である。
【図５】事件バケット処理サブプログラム流れ図である。
【図６】電気生理データ分析サブプログラム流れ図である。
【図７】事件警告予知警告とアラームサブプログラム流れ図である。
【図８】インタリジェント診断サブプログラム流れ図である。
【図９】無線双向通信コントロールサブプログラム流れ図である。
【図１０】コントロール命令処理サブプログラム流れ図である。
【図１１】緊急通報サブプログラム流れ図である。
【図１】
2009523473.tif 000003
【図２】
2009523473.tif 000004
【図３】
2009523473.tif 000005
【図４】
2009523473.tif 000006
【図５】
2009523473.tif 000007
【図６】
2009523473.tif 000008
【図７】
2009523473.tif 000009
【図８】
2009523473.tif 000010
【図９】
2009523473.tif 000011
【図１０】
2009523473.tif 000012
【図１１】
2009523473.tif 000013
【国際調査報告】
2009523473.tif 000014
2009523473.tif 000015
2009523473.tif 000016
2009523473.tif 000017